(57)【特許請求の範囲】
【請求項１】
ルアー本体と、
前記ルアー本体に対して捻れることは可能であるが回転が制限されるように前記ルアー本体に取り付けられた板状のブレードと、
Ｊ字状に湾曲された２つの針部を有し、前記２つの針部が互いに７０乃至１００°の角度をなすように結合された第１および第２のフックと、
前記ルアー本体の背側において上方に突出するように設けられ、前記第１のフックを着脱自在に係止する第１係止突起と、
前記ルアー本体の腹側において下方に突出するように設けられ、前記第２のフックを着脱自在に係止する第２係止突起と
を備え、
前記ブレードが水流を受けたときに、前記ルアー本体に対して前記ブレードが回転を制限されつつ捻れることにより、前記ルアー本体にヨーイングが発生するように構成されており、
前記第１および第２係止突起のそれぞれは、前記第１および第２のフックのそれぞれにおける前記２つの針部の間に挟まれることで、前記第１および第２のフックを着脱自在に係止するように構成されており、
前記第１のフックは、前記ルアー本体の頭部から尾部へ向かう方向から見たときに前記２つの針部がＶ字状をなすように、前記ルアー本体の背側において前記第１係止突起に係止され、
前記第２のフックは、前記頭部から前記尾部へ向かう方向から見たときに前記２つの針部が倒立Ｖ字状をなすように、前記ルアー本体の腹側において前記第２係止突起に係止される、
ルアー。
【請求項２】
前記ブレードは、前記ルアーが進行しているときに、前記ルアー本体の進行方向に対する一方側及び他方側に繰り返し揺動するように構成されており、
前記ルアー本体の進行方向に対する一方側に前記ブレードがあるときと、他方側に前記ブレードがあるときとにおいて、前記ブレードの同一面で水流を受けるように構成されている、
請求項１に記載のルアー。
【請求項３】
前記ブレードは、前記ルアー本体の頭部と尾部とを結ぶ方向に延びるように配置されたときに、前記ルアー本体の腹部と背部とを結ぶ方向に主面が向くように構成されている、
請求項１又は２に記載のルアー。
【請求項４】
前記ルアー本体の尾部に固定的に設けられたリング状のアイと、
前記アイに連結されたリングと、
をさらに備え、
前記ブレードは孔を有し、前記孔に前記リングが連結されている、
請求項１乃至３の何れかに記載のルアー。
【請求項５】
前記アイは、前記ルアー本体の腹部と背部とを結ぶ方向に開通した穴部を有する、
請求項１乃至４の何れかに記載のルアー。
【請求項６】
前記アイは、前記ルアー本体の頭部と尾部とを結ぶ方向に対して傾斜して設けられている、
請求項１乃至５の何れかに記載のルアー。
【請求項７】
前記ブレードの長さが、前記ルアー本体の長さの１／２倍以上１倍以下である、
請求項１乃至６の何れかに記載のルアー。
【請求項８】
前記ブレードの一面の面積が、前記ルアー本体の側方投影面積の１／２倍以上１倍以下である、
請求項１乃至７の何れかに記載のルアー。
【請求項９】
前記ルアー本体の比重が、７以上１９．３以下である、
請求項１乃至８の何れかに記載のルアー。
【請求項１０】
前記ルアー本体は、鉛製である、
請求項１乃至９の何れかに記載のルアー。
【請求項１１】
前記ルアー本体は、尾部に向かうにしたがって細くなる形状を有する、
請求項１乃至１０の何れかに記載のルアー。
【発明の詳細な説明】
【技術分野】
【０００１】
本発明は、魚釣りに用いられるルアーに関する。
【背景技術】
【０００２】
尾部にブレードが取り付けられたルアーがある。特許文献１に開示されているルアーは、魚の形状を模したルアー本体の尾部に連結用リングが設けられ、この連結用リングに回転自在ジョイントを介してブレードが取り付けられる。回転自在ジョイントは、ルアー本体に対してブレードを滑らかに回転させることを可能とし、ブレードの回転に伴うルアー本体の揺れを最小限に抑える。
【先行技術文献】
【特許文献】
【０００３】
【特許文献１】特開２００３−７０３８３号公報
【発明の概要】
【発明が解決しようとする課題】
【０００４】
しかしながら、ブレードだけでなく、ルアー本体の動きも集魚効果には大きな影響がある。特許文献１に開示されたルアーでは、ルアー本体の動きがほとんどなく、これによる集魚効果は期待できない。
【０００５】
本発明は斯かる事情に鑑みてなされたものであり、その主たる目的は、上記課題を解決することができるルアーを提供することにある。
【課題を解決するための手段】
【０００６】
上述した課題を解決するために、本発明の一の態様のルアーは、ルアー本体と、前記ルアー本体に対して捻れることは可能であるが回転が制限されるように前記ルアー本体に取り付けられた板状のブレードと、Ｊ字状に湾曲された２つの針部を有し、前記２つの針部が互いに７０乃至１００°の角度をなすように結合された第１および第２のフックと、前記ルアー本体の背側において上方に突出するように設けられ、前記第１のフックを着脱自在に係止する第１係止突起と、前記ルアー本体の腹側において下方に突出するように設けられ、前記第２のフックを着脱自在に係止する第２係止突起とを備え、前記ブレードが水流を受けたときに、前記ルアー本体に対して前記ブレードが回転を制限されつつ捻れることにより、前記ルアー本体にヨーイングが発生するように構成されており、前記第１および第２係止突起のそれぞれは、前記第１および第２のフックのそれぞれにおける前記２つの針部の間に挟まれることで、前記第１および第２のフックを着脱自在に係止するように構成されており、前記第１のフックは、前記ルアー本体の頭部から尾部へ向かう方向から見たときに前記２つの針部がＶ字状をなすように、前記ルアー本体の背側において前記第１係止突起に係止され、前記第２のフックは、前記頭部から前記尾部へ向かう方向から見たときに前記２つの針部が倒立Ｖ字状をなすように、前記ルアー本体の腹側において前記第２係止突起に係止される。
【０００７】
この態様において、前記ブレードは、前記ルアーが進行しているときに、前記ルアー本体の進行方向に対する一方側及び他方側に繰り返し揺動するように構成されており、前記ルアー本体の進行方向に対する一方側に前記ブレードがあるときと、他方側に前記ブレードがあるときとにおいて、前記ブレードの同一面で水流を受けるように構成されていてもよい。
【０００８】
上記態様において、前記ブレードは、前記ルアー本体の頭部と尾部とを結ぶ方向に延びるように配置されたときに、前記ルアー本体の腹部と背部とを結ぶ方向に主面が向くように構成されていてもよい。
【０００９】
上記態様において、前記ルアーは、前記ルアー本体の尾部に固定的に設けられたリング状のアイと、前記アイに連結されたリングと、をさらに備え、前記ブレードは孔を有し、前記孔に前記リングが連結されていてもよい。
【００１０】
上記態様において、前記アイは、前記ルアー本体の腹部と背部とを結ぶ方向に開通した穴部を有してもよい。
【００１１】
上記態様において、前記アイは、前記ルアー本体の頭部と尾部とを結ぶ方向に対して傾斜して設けられていてもよい。
【００１２】
上記態様において、前記ブレードの長さが、前記ルアー本体の長さの１／２倍以上１倍以下であってもよい。
【００１３】
上記態様において、前記ブレードの一面の面積が、前記ルアー本体の側方投影面積の１／２倍以上１倍以下であってもよい。
【００１４】
上記態様において、前記ルアー本体の比重が、７以上１９．３以下であってもよい。
【００１５】
上記態様において、前記ルアー本体は、鉛製であってもよい。
【００１６】
上記態様において、前記ルアー本体は、尾部に向かうにしたがって細くなる形状を有してもよい。
【発明の効果】
【００１８】
本発明によれば、ルアー本体に動きを与え、高い集魚効果を得ることが可能なルアーを提供することができる。
【図面の簡単な説明】
【００１９】
【図１】実施の形態に係るルアーの構成を示す斜視図。
【図２】実施の形態に係るルアーの構成を示す平面図。
【図３】実施の形態に係るルアーの構成を示す側面図。
【図４】ブレードの動作範囲を説明するためのルアーの平面図。
【図５Ａ】ブレードがルアー本体に対して右側に位置するときのルアーの動作を説明するためのルアーの平面図。
【図５Ｂ】ブレードがルアー本体に対して左側に位置するときのルアーの動作を説明するためのルアーの平面図。
【発明を実施するための形態】
【００２０】
以下、本発明の好ましい実施の形態を、図面を参照しながら説明する。
【００２１】
図１は、本実施の形態に係るルアーの構成を示す斜視図であり、図２は、その平面図であり、図３は、その側面図である。なお、図１中に示される矢印はルアー１の水中での進行方向を示している。以下では、この進行方向を「前方」、この進行方向とは逆方向を「後方」とする。また、ルアーの背側を「上側」、ルアーの腹側を「下側」とし、前後方向と直交する方向し、ルアーの腹部と背部とを結ぶ方向を「上下方向」とする。また、ルアーの進行方向に向かって右側を「右側」、左側を「左側」とし、前後方向および上下方向のそれぞれに直交する方向を「左右方向」とする。
【００２２】
図１乃至３に示すように、ルアー１は、ルアー本体２と、ブレード３とを備える。ブレード３は、ルアー本体２の尾部に取り付けられている。
【００２３】
ルアー本体２は、小魚の胴体を模した形状をなしている。具体的には、ルアー本体２は、頭部が滑らかな半球状をなし、頭部周辺において太く、頭部から尾部に近づくにしたがって細くなっている。ルアー本体２は、鉛製であり、その比重は１１．３４である。
【００２４】
ルアー本体２の背側には、半円状に上方に突出するようにラインアイ２１が設けられている。ラインアイ２１は、ラインを連結するための金属製のリング状部材である。ルアー本体２において、ラインアイ２１より後方には、フック連結用のフックアイ２３が設けられており、さらに後方には、フック係止用の係止突起２４が設けられている。フックアイ２３および係止突起２４は、金属製のリング状部材であり、ルアー本体２の背面から半円状に上方に突出している。
【００２５】
ルアー本体２の腹側には、フック連結用のフックアイ２５と、フック係止用の係止突起２６が設けられている。フックアイ２５は、ルアー本体２の概略前後方向中央に設けられており、係止突起２４は、フックアイ２５の後方に設けられている。フックアイ２５および係止突起２６は、金属製のリング状部材であり、ルアー本体２の腹面から半円状に下方に突出している。
【００２６】
フックアイ２３および２５のそれぞれには、フック４１および４２が連結されている。フック４１および４２のそれぞれは、ダブルフックである。
【００２７】
フック４１および４２の構成をさらに詳細に説明する。フック４１および４２は、フックアイ２３および２５に取り付けるための取付部４３と、取付部４３から延びる２つの針部４４とを有している。フック４１および４２は、一本の金属製の線状部材が湾曲されて形成されている。取付部４３は、前記線状部材の中央部がＣ字状に湾曲された部分である。針部４４は、取付部４３の両端から延びており、Ｊ字状に湾曲して形成されている。
【００２８】
針部４４の基端側は、直線状になっている。２つの針部４４の直線部分は互いに平行に延び、接触又は近接している。２つの針部４４の直線部分から先の部分は、互いに異なる方向に湾曲している。２つの湾曲部分の間の角度は、７０乃至１００°である。
【００２９】
フック４１の取付部４３がフックアイ２３に直接連結され、フック４２の取付部４３がフックアイ２５に直接連結される。フック４１の針部４４の２つの直線部分の間に、係止突起２４が挿入され、フック４１が係止突起２４に係止される。これにより、フック４１の２つの針部４４によって係止突起２４が挟まれる力で、フック４１がルアー本体２に固定される。同様に、フック４２も、係止突起２６によって固定される。
【００３０】
フック４１の２つの針部４４は、ルアー本体２の背面から左右対称に斜め上方へそれぞれ延びるように、前側から見てＶ字状に配置される。フック４２の２つの針部４４は、ルアー本体２の腹面から左右対称に斜め下方へそれぞれ延びるように、前側から見て倒立Ｖ字状に配置される。
【００３１】
ルアー本体２の後端には、ブレードアイ２７が固定的に設けられている。ブレードアイ２７は、ブレード３を取り付けるための金属製のリング状部材である。図２に示すように、ブレードアイ２７は、その穴部が上下方向に開通するように配置される。つまり、ブレードアイ２７は、左右方向に延びるように配置される。また、図３に示すように、ブレードアイ２７は、後方に向かうにしたがって下がるように、前後方向に対して傾斜して設けられる。
【００３２】
上記のようなブレードアイ２７には、スプリットリング５が連結される。ブレードアイ２７が左右方向に延びるようにルアー本体２に設けられているため、スプリットリング５は、上下方向に延びるように配置される。さらに詳細には、スプリットリング５は、ブレードアイ２７に対してある程度の範囲で移動することが可能となっているが、左右方向に延びるような位置には（つまり、ブレードアイ２７と平行になるようには）移動することができない。即ち、スプリットリング５は、ブレードアイ２７と連結されているため、ブレードアイ２７の穴部の範囲内で移動することが可能である。
【００３３】
スプリットリング５には、ブレード３が連結される。ブレード３は、光沢がある金属製のプレートであり、楕円状又は両端が尖った木の葉状に形成されている。ブレード３の表面は滑らかな光沢加工が施されている。
【００３４】
ブレード３の前後方向の長さは、ルアー本体の前後方向の長さの１／２倍より若干大きい。また、ブレード３の一面の面積は、ルアー本体２の側方投影面積の１／２倍程度である。
【００３５】
ブレード３の一端側には孔３１が設けられており、この孔３１にスプリットリング５が連結される。スプリットリング５が上下方向に延びるように配置されるため、ブレード３が後方へ延ばされた場合には、ブレード３の主面が上下方向を向くように配置される（図１乃至３参照）。また、ブレード３が鉛直下方に垂下された場合には、ブレード３の主面が前後方向を向くように配置される（図示せず）。
【００３６】
ブレード３は、スプリットリング５に対してある程度の範囲で移動することが可能となっているが、スプリットリング５と平行になるような位置には移動することができない。即ち、ブレード３は、スプリットリング５と連結されているため、スプリットリング５の穴部の範囲内で移動することが可能である。
【００３７】
ブレード３は、一面が僅かに膨出し、他面が僅かに窪むように湾曲している。ブレード３が前後方向へ延びるように配置された場合に、膨出面が上側を向くように、ブレード３がスプリットリング５に連結される。
【００３８】
ラインによってルアー１が水中で引っ張られると、水流によってブレード３が揺動する。水流を受けたブレード３は、主面が上下方向を向いたままルアー本体２に対して揺動するのではなく、長手方向を軸として捻れながら揺動する。ブレード３は、スプリットリング５を介してブレードアイ２７に連結されている。また、上述したようにスプリットリング５はブレードアイ２７に対して移動範囲が制限されており、ブレード３はスプリットリング５に対して移動範囲が制限されている。このため、ブレード３は、ルアー本体２に対して捻れることは可能であっても、回転することはできない。
【００３９】
図４は、ブレード３の動作範囲を説明するためのルアー１の平面図である。図４において、ブレード３の動作範囲を破線で示す。ブレード３は水流を受けるため、後方へ引かれながら揺動することとなる。したがって、ブレード３の動作範囲は、図４に示すように、後方へ広がった、実質的に左右対称の扇形となる。このように、ブレード３は、ルアー本体１の中心を通り前後方向に延びる鉛直面について実質的に面対称の動作範囲を有している。
【００４０】
ブレード３がルアー本体１と一直線に並ぶように、前後方向に延びて配置されている（以下、「基準位置」という）とき、ブレード３の凹面が下方を向き、ブレード３の凸面が上方を向くようになっている。
【００４１】
ブレード３が基準位置にあるときから、ルアー１がリトリーブされると、ブレード３は水流を受けて上記の動作範囲内で揺動する。
【００４２】
ブレード３は、ルアー本体２に対して右側及び左側に繰り返し揺動する。ブレード３が右側にあるとき、ブレード３の凸面が前方を向き、凹面が後方を向く。同様に、ブレード３が左側にあるときも、ブレード３の凸面が前方を向き、凹面が後方を向く。つまり、ブレード３は、右側にあるときと左側にあるときとの両方において、凸面によって水流を受けるようになっている。
【００４３】
特に、ブレード３が右側の動作範囲限界、即ち、ブレード３が右方から左方に移動方向が切り替わる位置にあるとき、ブレード３の凸面が前方を向くようになっている。また、ブレード３が左側の動作範囲限界、即ち、ブレード３が左方から右方に移動方向が切り替わる位置にあるときも、ブレード３の凸面が前方を向くようになっている。
【００４４】
図５Ａは、ブレード３がルアー本体に対して右側に位置するときのルアー１の動作を説明するためのルアー１の平面図である。図５Ａに示すように、水流により、ブレード３がルアー本体２に対して右側に捻れると、右側の動作範囲限界において、ブレード３がそれ以上捻れなくなる。このとき、ブレード３の凸面が前方を向いており、水流による抵抗力を受ける。抵抗力は、ルアー本体２がその重心を中心として、尾部が左方へ、頭部が右方へ向くように、また、ブレード３が左方向へと移動するように作用する。
【００４５】
抵抗力により左方向へと移動したブレード３は、基準位置から先端部分が下方に垂下するように傾斜した状態を経て、慣性力及び水流によりさらに左方へと移動する。
【００４６】
図５Ｂは、ブレード３がルアー本体に対して左側に位置するときのルアー１の動作を説明するためのルアー１の平面図である。図５Ｂに示すように、ブレード３がルアー本体２に対して左側に捻れると、左側の動作範囲限界において、ブレード３がそれ以上捻れなくなる。このとき、ブレード３の凹面が前方を向いており、水流による抵抗力を受ける。抵抗力は、ルアー本体２がその重心を中心として、尾部が右方へ、頭部が左方へ向くように、また、ブレード３が右方向へと移動するように作用する。
【００４７】
抵抗力により右方向へと移動したブレード３は、基準位置から先端部分が下方に垂下するように傾斜した状態を経て、慣性力及び水流によりさらに右方へと移動する。
【００４８】
このように、ブレード３がルアー本体２に対して右側に位置しているときと、左側に位置しているときとの両方において、ブレード３は凸面で水流を受ける。したがって、ブレード３がルアー本体２に対して右側に位置しているときと、左側に位置しているときとで、ブレード３に作用する抵抗力が均衡し、上記のような動作を破綻なく繰り返すことができる。これにより、ブレード３が激しく揺動しながら、ルアー本体２がヨーイングを繰り返す。フック４１および４２は、ルアー本体２のヨーイングによっては解除されない程度にルアー本体２に係止されている。
【００４９】
上述したように、ブレード３は、先端を下げるように傾斜しながら揺動する。この揺動の途中で、水流によって、ブレード３が先端を上げるように傾斜することが考えられる。このようになると、ブレード３の均衡した揺動が乱れ、ブレード３が正常に動作しなくなることも考えられる。そこで、ルアー１では、上述したようにブレードアイ２７を下向きに傾斜して設けている。ブレードアイ２７を下向きに傾斜して設けることで、ブレード３は先端が下がるように傾斜しやくなる。つまり、ブレード３の先端が上がることが抑制される。したがって、ブレード３が揺動の途中で、先端が上がるように動作することによる姿勢の乱れが抑制され、揺動の安定性が向上する。
【００５０】
また、ルアー１が進行しているときに、頭部が下がり尾部が上がるように、ルアー本体２が傾斜することがある。この場合、上記のようにブレードアイ２７をルアー本体２に対して傾斜させておくことで、ブレードアイ２７が水平に近い状態となるため、ブレード３の動作が安定する。
【００５１】
フック４１および４２のそれぞれは、ルアー本体２に対して左右対称に取り付けられている。このため、フック４１の２つの針部４４には、水流による抵抗力が概略均等に印加される。同様に、フック４２の２つの針部４４にも、水流による抵抗力が概略均等に印加される。また、フック４１および４２は、水流を整える役割を果たす。これにより、フック４１および４２が、ルアー本体２の姿勢を安定させる機能を発揮する。このため、ルアー本体２の挙動に破綻が生じることが防止され、ルアー本体２のヨーイングが継続する。
【００５２】
また、ルアー本体２の背側にフック４１が、腹側にフック４２が取り付けられているため、ルアー本体２の上側に印加される抵抗力と、下側に印加される抵抗力とが均衡する。したがって、ルアー本体２の姿勢が上下に乱れることが防止され、これによってもルアー本体２の挙動の破綻が防止されている。
【００５３】
このように、ルアー本体２には繰り返しヨーイングが発生する。これは小魚の動きに似ているため、この動きに対象魚が反応し、集魚効果が得られる。
【００５４】
また、ブレード３が揺動するため、高い反射率を有するブレード３の表面によって光が反射される。ブレード３の角度は時間経過と共に変化するため、光の反射方向も変化し、対象魚からは不規則に点滅して見える。この光の時間変化は、小魚の体表から発せられる光の時間変化と似ているため、この光に対象魚が反応し、集魚効果が得られる。
【００５５】
対象魚がルアー１を咥えたときには、フック４１および４２に対象魚の口が当たる等して力が作用し、フック４１および４２が係止突起２４および２６から外れる。このため、対象魚の口内等にフック４１又は４２を掛けることができる。
【００５６】
（その他の実施の形態）
上記の実施の形態においては、ルアー本体２の尾部に固定的に設けられたブレードアイ２７にスプリットリング５を連結し、このスプリットリング５を、ブレード３に設けられた孔３１に連結する構成について述べたがこれに限定されるものではない。ルアー本体２に対するブレード３の回転を制限し、その結果、水中でルアー本体２にヨーイングを生じさせるのであれば、ルアー本体２とブレード３との連結構造は問わない。例えば、複数のスプリットリングを直列的に連結して多連リングを構成し、多連リングの一端をブレードアイ２７に連結し、多連リングの他端をブレード３の孔３１に連結する構成としてもよいし、ブレードアイ２７に直接ブレード３の孔３１を連結する構成としてもよい。また、ルアー本体２とブレード３とを合成ゴム等の可撓性部材にて連結し、ルアー本体２に対するブレード３の回転を制限する構成とすることも可能である。
【００５７】
また、上記の実施の形態においては、ブレード３がルアー本体２の進行方向に対して右側にあるときと、左側にあるときとの両方において、凸面で水流を受ける構成について述べたが、これに限定されるものではない。ブレード３がルアー本体２の進行方向に対して右側にあるときと、左側にあるときとの両方において、凹面で水流を受ける構成とすることも可能である。また、ブレード３が左右に揺動し、これによってルアー本体２にヨーイングが発生する構成であれば、上記に限られない。ブレード３がルアー本体２の進行方向に対して右側にあるときと、左側にあるときとにおいて、互いに異なる面によって水流を受け、これによってルアー本体２にヨーイングが生じる構成としてもよい。
【００５８】
また、上記の実施の形態においては、ブレード３が基準位置にあるとき、ブレード３の凹面が下方を向き、ブレード３の凸面が上方を向くようにしたが、これに限定されるものではない。基準位置において、ブレード３の主面の一方（凸面又は凹面）が右方を向き、他方（凹面又は凸面）が左方を向くようにしてもよい。但し、ブレード３は、基準位置において、ルアー本体２の中心を通り前後方向に延びる鉛直面について実質的に面対称の形状を有していることが、左右の揺動を安定させるために好ましい。
【００５９】
また、上記の実施の形態においては、ブレードアイ２７を、後方に向かうにしたがって下がるように、前後方向に対して傾斜して設ける構成について述べたが、これに限定されるものではない。ブレードアイを水平に設けることも可能であるし、後方に向かうにしたがって上がるように設けることも可能である。但し、発明者の実験では、ブレードアイを後方に向かうにしたがって下がるように設けた場合に、最も安定してルアー本体２のヨーイングを継続することができた。
【００６０】
また、上記の実施の形態においては、ブレード３の前後方向の長さを、ルアー本体２の前後方向の長さの１／２倍より若干大きくしたが、これに限定されるものではない。但し、ブレード３の前後方向の長さは、ルアー本体２の前後方向の長さの１／２倍以上１倍以下とすることが好ましい。
【００６１】
また、上記の実施の形態においては、ブレード３の一面の面積を、ルアー本体２の側方投影面積の１／２倍程度としたが、これに限定されるものではない。但し、ブレード３の一面の面積は、ルアー本体２の側方投影面積の１／２倍以上１倍以下とすることが好ましい。
【００６２】
また、上記の実施の形態においては、ルアー本体２を鉛製としたが、これに限定されるものではない。但し、ルアー本体２の比重は、７以上１９．３以下が好ましい。このため、ルアー本体２の材料としては、タングステン、タングステン合金、鋳鉄、鋼鉄、銅等、上記の範囲の比重を有する金属が好ましい。また、ルアー本体２をプラスチック製とし、内部に金属製の重りを内蔵することで、ルアー本体２が上記比重となるように構成することも可能である。
【００６３】
また、上記の実施の形態においては、ブレード３を、楕円状又は両端が尖った木の葉状の板としたが、これに限定されるものではない。任意の形状の板とすることが可能である。例えば、四角形、五角形等の多角形の板としてブレードを構成することもできる。また、ブレード３を、一面が僅かに膨出し、他面が僅かに窪むように湾曲した板状に構成したが、これに限定されるものではない。ブレードを平板状に構成してもよいし、例えば４５°など所定角度で屈曲した板状としてもよい。但し、ブレードの左右の揺動を安定させるために、ブレードの形状を、ブレードが後方へ延ばされた場合にルアー本体の中心を通り前後方向に延びる鉛直面について面対称にすることが好ましい。
【産業上の利用可能性】
【００６４】
本発明のルアーは、魚釣り用のルアーとして有用である。
【符号の説明】
【００６５】
１  ルアー
２  ルアー本体
２１  ラインアイ
２３，２５  フックアイ
２４，２６  係止突起
２７  ブレードアイ
３  ブレード
３１  孔
４１，４２  フック
４３  取付部
４４  針部
５  スプリットリング
【図１】
0005946146.tif 000002
【図２】
0005946146.tif 000003
【図３】
0005946146.tif 000004
【図４】
0005946146.tif 000005
【図５Ａ】
0005946146.tif 000006
【図５Ｂ】
0005946146.tif 000007